(57)【特許請求の範囲】
【請求項１】
軒天井板の端縁を挿入保持し得るコ字状折曲部を下部に有しかつ起立部と水平部とよりなる上部のＬ状部を立上り部で連結してなるピース状の取付金具と、上部に逆Ｕ字状に折曲げられた上縁を有する起立側面中央に水平段部を突設してなる水切板と、該取付金具のコ字状折曲部に被覆し得る巾広の開口部を有する略コ字状折曲部よりなる見切り縁との組合せよりなり、前記取付金具の上部の起立部に水切板の上縁を被覆すると共に、該取付金具の下部のコ字状折曲部の周りに見切り縁の略コ字状折曲部を被覆し、前記取付金具の起立部と水切板とを外壁パネルの押さえ金物を介して外壁に取付固定して、水切板の起立側面及び水平段部と見切縁の略コ字状折曲部との間に換気通路を構成したことを特徴とした軒天井の換気構造。
【請求項２】
略逆Ｕ字状に折曲げられた上縁と起立側面中央に水平段部を有する水切板と、前記水切板の略逆Ｕ字状の折曲げ部に差し込む起立部を有しかつ水切板の水平段部上に沿って当接し得る水平部と後述の見切縁の上縁に沿って当接し得る立上部と軒天井板の側縁を挿入できる下部コ字状折曲部を有する取付金具と、上方に幅広の開口部を有し、前記取付金具の下部コ字状折曲部を嵌入できるような略コ字状折曲部の底板の先端を上内方に湾曲させた下縁と略コ字状折曲部の上板の先端縁を上方に起立した上縁を有する見切り縁との組合せよりなる換気構造の構成金具。
【発明の詳細な説明】
【０００１】
【発明の属する技術分野】
本発明は軒天井に換気通路を設けた換気構造及びその構成金具に係り、特に軒天井に設けた見切縁と外壁に設けた水切板を取付金具で連結して構成した軒天井の換気構造とその構成金具とに関するものである。
【０００２】
【従来の技術】
従来のこの種の見切縁としては、例えば本件特許出願人が開発して特許出願（特願平４ー２４７１５４号）した図７及び図８に示す技術が公知である。この技術は鋼板をロールホーミング法で断面コ字形に折り曲げて見切縁５１が形成され、かつ見切縁５１の上板５２と下板５３とに夫々換気孔５４が穿設され、かつ上板５２と下板５３との先端縁を夫々コ字形溝５５内に折り曲げて折曲リブ５２ａ，５３ａが形成されていた。
【０００３】
このように形成された折曲リブ５２ａ，５３ａで軒天井板５６を上下方向から挟持して支持していた。また、この見切縁５１の場合には、前述の換気孔５４とコ字形溝５５とによって換気通路５７が形成されていた。更に換気通路５７の一部には不燃性体積膨張材５８が取り付けられていた。図中５９は屋根、６０は鼻先隠し板、６１は外壁である。
【０００４】
【発明が解決しようとする課題】
然るに、前述の換気構造の場合には、見切縁５１を１枚の鋼板をロールホーミング法で折り曲げて構成するために、比較的厚肉の鋼板を使用する必要があった。更にその上板５２と下板５３に夫々多数の換気孔５４を連続的に穿設するために、見切縁５１の強度が更に弱くなるため、より厚肉の鋼板を使用しなければならない問題があった。また、この換気孔５４を穿設するために、見切縁５１に切断面が非常に多く出来、この切断面が錆びやすい問題もあった。
【０００５】
前記公知技術の他に、例えば実開昭６０ー９２０３４号公報に示す如き技術も開発されている。この技術は、見切縁本体とこの見切縁本体の周りに嵌合することが出来る見切縁保持体との二部品で構成され、見切縁保持体に外壁と軒天井とを嵌め込んで取り付けるようにした構造である。
【０００６】
処で、後者の見切縁構造に於いても、見切縁本体に多数の換気孔を連続的に穿設するので、見切縁本体の強度に問題があると共に、換気孔による切断面が多くなるので、この切断面が錆びやすい等の問題があった。
【０００７】
本発明は前述の従来の問題点に鑑み開発された全く新規な換気構造及びその構成金具に関するものであり、特に構成部品を３点にすることによって、連続して使用する水切板と見切縁は薄肉の鋼板でロールホーミング法で成形し、軒天井板を支えるピース部品の取付金具は強度が十分な厚肉の鋼板でプレス加工により製作することができ、かつ見切縁に換気孔を穿設せずに換気構造を構成することが出来るようにした全く新しい技術を提供するものである。
【０００８】
【課題を解決するための手段】
本発明に係る軒天井の換気構造は前述の従来の問題点を根本的に改善した技術であって、その要旨は、軒天井板の端縁を挿入保持し得るコ字状折曲部を下部に有しかつ起立部と水平部とよりなる上部のＬ状部を立上り部で連結してなるピース状の取付金具と、上部に逆Ｕ字状に折曲げられた上縁を有する起立側面中央に水平段部を突設してなる水切板と、該取付金具のコ字状折曲部に被覆し得る巾広の開口部を有する略コ字状折曲部よりなる見切り縁との組合せよりなり、前記取付金具の上部の起立部に水切板の上縁を被覆すると共に、該取付金具の下部のコ字状折曲部の周りに見切り縁の略コ字状折曲部を被覆し、前記取付金具の起立部と水切板とを外壁パネルの押さえ金物を介して外壁に取付固定して、水切板の起立側面及び水平段部と見切縁の略コ字状折曲部との間に換気通路を構成したことを特徴とした軒天井の換気構造である。
【０００９】
本発明に係る換気構造の構成金具の要旨は、略逆Ｕ字状に折曲げられた上縁と起立側面中央に水平段部を有する水切板と、前記水切板の略逆Ｕ字状の折曲げ部に差し込む起立部を有しかつ水切板の水平段部上に沿って当接し得る水平部と後述の見切縁の上縁に沿って当接し得る立上部と軒天井板の側縁を挿入できる下部コ字状折曲部を有する取付金具と、上方に幅広の開口部を有し、前記取付金具の下部コ字状折曲部を嵌入できるような略コ字状折曲部の底板の先端を上内方に湾曲させた下縁と略コ字状折曲部の上板の先端縁を上方に起立した上縁を有する見切り縁との組合せよりなる換気構造の構成金具である。
【００１０】
【発明の実施の形態】
図により本発明に係る軒天井の換気構造及びこの構造に用いられている構成金具について説明すると、図１は本発明に係る換気構造の要部の斜視説明図、図２は構成金具の部品説明図、図３は図１の換気構造の要部の縦断面説明図、図４は本発明の第２例の要部の縦断面説明図、図５は本発明の第３例の要部縦断面説明図、図６は図５の第３例の他の使用例を示す縦断面説明図である。
【００１１】
図１乃至図３に於いて、１は水切板であって、ＡＬＣ板等の外壁パネル２側に取り付けられるように構成されている。この水切板１は、上端部が略逆Ｕ字状に外側（外壁パネル２の室外側）に折り曲げられて上縁３を形成している。また水切板１の起立外側面中央には二重水平折り曲げによる水平段部４が形成され、かつ水切板１の下端部は内側に折り曲げられて下縁５を形成している。
【００１２】
６は見切縁であって、後述の取付金具１３に取り付けられるように構成されている。この見切縁６は上外方に巾広の開口部７を有する断面形状が略コ字状折曲部８より形成されている。従って、略コ字状折曲部８の底板９が上板１０よりも長く外側に突出されている。また、底板９の先端縁は上内方に湾曲されて下縁１１を形成し、かつ上板１０の先端縁は上方に垂直に起立されると共に、内側下方に折り曲げられて上縁１２を形成している。
【００１３】
１３は取付金具であって、前記水平板１と見切縁６とを相互に連結する役割と、更に外壁パネル側の軒天井板１４を挿入して保持し得る役割をしている。この取付金具１３はその下部に前記見切縁６の略コ字状折曲部８を嵌入し得る下部コ字状折曲部１５を有している。この下部コ字状折曲部１５は、前記略コ字状折曲部８と同様に底板１６が上板１７よりも外方に長く突出されている。
【００１４】
また、下部コ字状折曲部１５に略コ字状折曲部８を強制的に嵌入した際には、底板１６が底板９の内面に当接され、底板１６の先端縁１６ａが下縁１１内に嵌入され、かつ上板１７に上板１０の天井面が当接されるように構成されている。上板１７には垂直に起立した立上部１８が連設され、この立上部１８の内面に見切縁６の上縁１２の外面が当接されるように構成されている。
【００１５】
該立上部１８には水切板１の水平段部４の上面に当接し得る該水平段部４よりも内外巾が大きい水平部１９が連設され、更にこの水平部１９には水切板１の起立側面に当接し得る起立部２０が連設されている。この起立部２０の上縁２０ａは水切板１の上縁３内に嵌入し得るように構成されている。前記立上部１８の両側壁には、周りから切り抜かれた水平突起２１が底板１６とほぼ平行に外方に突設されている。起立部２０の両側壁にはビス孔２２が穿設されている。
【００１６】
このように構成された水切板１、見切縁６及び取付金具１３を使用して本発明に係る換気構造を構成する構成について説明すると、次の通りである。即ち、図１及び図３に於いて、２３は躯体側梁２４に取り付けられた定規アングルであって、外壁パネル２の室内側裏面を支持している。外壁パネル２の室外側壁面に沿って配置された水切板１と前記水切板１の上縁３内に嵌入するピース状の取付金具１３は押さえ金物２５を介して定規アングル２３に取り付けられている。
【００１７】
取付金具１３の下部コ字状折曲部１５に見切縁６の略コ字状折曲部８が強制的に嵌入され、かつ取付金具１３の底板１６の先端縁に見切縁６の下縁１１が嵌入されて、見切縁６は取付金具１３に連結されている。
【００１８】
このように水切板１と取付金具１３と見切縁６の組合せによる構成金具を取り付けるに当たっては、水切板１の上縁３内に取付金具１３の起立部２０の上縁２０ａを嵌入し、その水平部１９を水切り板１の水平段部４上に重ねて複数個装着して外壁パネル２の押さえ金物２５の位置に取付金具１３を合わせ、その起立部２０のビス孔２２にビスを通しながら水切板１の起立部を貫通させて、外壁パネル２の押さえ金物２５に打ち付けることによって取付金具１３と水切り板１は外壁パネル２の押さえ金物２５に強固に取付固定することができる。前記取付金具１３は、ピース物であるので複数の取付金具を一定の間隔を保って配置する。
【００１９】
このように外壁パネル２側に取り付けられた水切板１と取付金具１３への前記取付金具１３で底板１６の先端縁１６ａに、見切縁６の下縁１１を嵌入させながら回動させてコ字状折曲部８を前記取付金具１３の下部コ字状折曲部１５に嵌合させることによって取付金具１３を介して見切縁６を水切板１に連結することができる。
【００２０】
このように組立構成された換気構造に於いて、外壁パネル側の軒天井板１４の側縁は、見切縁６が嵌入された取付金具１３の下部コ字状折曲部１５内に挿入するこによって保持されている。特に軒天井１４の上面は取付金具１３の水平突起２１によって強く当接されると共に、その下面は見切縁６の下縁１１によって当接されて安定した状態で保持されている。
【００２１】
本発明に係る換気構造は、上述の構成を有するので、水切板１の垂直起立面及び水平段部４と見切縁６の略コ字状折曲部８との間に巾広の換気通路２６を形成することが出来る。従って従来のように、見切縁６に連続した換気孔を穿設する必要がない。換気通路２６の一部には、火災時に発泡して換気通路２６を閉鎖することが出来る不燃性体積膨張材２７が取り付けられている。
【００２２】
上記実施例に於いては、防火仕様の肉厚の大きい軒天井板１４を使用し、この軒天井板１４の取付金具１３の下部コ字状折曲部１５にその側縁を挿入して支持させる状態について説明したが、図４に示す如く、非防火仕様の肉厚の小さい軒天井板１４ａを使用する場合には、取付金具１３の下部コ字状折曲部１５の起立壁の途中に水平突起２１ａを突設したものを用意し、下部コ字状折曲部１５の底部側に挿入された軒天井板１４ａの上面をこの水平突起２１ａで強く押圧してはさみこみ、軒天井板１４ａを下部コ字状折曲部１５内で安定させることも出来る。
【００２３】
更に、図５及び図６に示す如く、取付金具１３に予め前述のような水平突起２１，２１ａを夫々併設させることによって、防火仕様の肉厚の大きい軒天井板１４を使用する場合には、図５に示す如く、上方の水平突起２１を使用し、防火仕様でない肉厚の小さい軒天井板１４ａを使用する場合には下方の水平突起２１ａを使用して、夫々軒天井板１４、１４ａを同じ取付金具１３内で安定して保持することも可能である。
【００２４】
本発明に於いては、換気構造に使用される構成部品を夫々水切板１、見切縁６及び取付金具１３の３部品で構成したので、夫々の部品毎に水切板１と見切縁６は薄肉の鋼板、取付金具１３は厚肉の鋼板を使用して夫々の用途に合わせたものを安価に大量生産することが出来る。図１、図３、図４に示すように取付金具１３の水平部１９の一部に爪を設けた場合には、この爪で見切縁６の上縁１２を押圧して、両者の結合をより強固にすることが出来る。
【００２５】
また、取付金具１３は水切板１と見切縁６とに夫々ワンタッチで容易に組付けることが出来、かつこの取付金具１３を介して水切板１と見切縁６とを相互に連結することが出来る。更に取付金具１３は水切板１に対して横方向に自在にスライドさせてその位置を決めることが出来るため、施工が簡単で必要な場所に確実に取り付けることが出来る。
【００２６】
【発明の効果】
本発明に係る軒天井の換気構造及びその構成金具は、前述の構造と作用とを有するので、次のような多大な効果を有している。
【００２７】
（１）水切板と見切縁と取付金具との３点を組合わせることによって換気構造を構成することが出来る。（２）これ等の部品は夫々の肉厚の金属材を使用して簡単な形状に構成出来る。（３）従って各部品の用途に合わせて、強度が必要な部品は厚肉で、それ以外は薄肉の鋼板を使用して、均一なものを安価に大量生産することが出来る。
【００２８】
（４）各部品の組付がワンタッチで出来、組立連結が簡単である。（５）水切板と見切縁との間に換気通路を形成することが出来る。（６）従来のように見切縁に連続した多数の換気孔を穿設する必要がない。（７）従って、換気孔を穿設したことによる強度を劣化させる問題や、切断面に錆が生ずる問題がない。
【００２９】
（８）水切板及び見切縁の端縁は夫々折り曲げて隠すことによって確実に防錆することが出来る。（９）軒天井板の端縁は取付金具の下部コ字状折曲部によって安定した状態で保持出来る。（１０）取付金具に設けられる水平突起の位置を変えるか、２種類の水平突起を併設することによって、肉厚の異なる軒天井板を自在に保持することが出来る。
【図面の簡単な説明】
【図１】  本発明に係る換気構造の要部の斜視説明図である。
【図２】  構成金具の部品説明図である。
【図３】  図１の換気構造の要部の縦断面説明図である。
【図４】  本発明の第２例の要部の縦断面説明図である。
【図５】  本発明の第３例の要部の縦断面説明図である。
【図６】  図５の第３例の他の使用例を示す縦断面説明図である。
【図７】  従来例を示す換気構造の縦断面説明図である。
【図８】  図７の換気構造の要部の斜視説明図である。
【符号の説明】
１       水切板                 ２       外壁パネル
３       上縁                   ４       水平段部
５       下縁                   ６       見切縁
７       開口部                 ８       略コ字状折曲部
９       底板                   10       上板
11       下縁                   12       上縁
13       取付金具               14,14a   軒天井板
15       下部コ字状折曲部       16       底板
17       上板                   18       立上部
19       水平部                 20       起立部
20a      上縁
21,21a   水平突起               22       ビス孔
23       定規アングル           24       梁
25       押さえ金物             26       換気通路
27       不燃性体膨張材
51       見切縁                 52       上板
53       下板                   52a,53   折曲リブ
54       換気孔                 55       コ字状形溝
56       軒天井板               57       換気通路
58       不燃性体積膨張材       59       屋板
60       鼻先隠し板             61       外壁
【図１】
0003698764.tif 000002
【図２】
0003698764.tif 000003
【図３】
0003698764.tif 000004
【図４】
0003698764.tif 000005
【図５】
0003698764.tif 000006
【図６】
0003698764.tif 000007
【図７】
0003698764.tif 000008
【図８】
0003698764.tif 000009